(57)【特許請求の範囲】
【請求項１】
筒状胴部４より口頚部６を起立するとともに、口頚部６下部に外気導入孔８を穿設し、且つ、保形性を備えた合成樹脂製の外壁材２と、外壁材２内面に剥離可能に積層するとともに、外気導入孔８部分を含めてその下方の積層部分を剥離して外壁材２内面との間に隙間ａが生じる如く設け、且つ、内部に錠剤10を充填した可撓性合成樹脂製の内壁材３とからなる容器体Ａを備え、口頚部６外周に嵌合させた周壁11上端縁より口頚部６上面に下面を当接するフランジ12を延設するとともに、フランジ12内周縁より垂設した内周壁13により内壁材３を圧接して外気導入孔８を気密に閉塞し、且つ、内周壁13内周面より口頚部６開口を閉塞する頂壁14を延設したキャップＢを着脱自在に装着してなることを特徴とする錠剤容器。
【請求項２】
上記口頚部６下部を内方へ凹ませた環状の凹陥部７を形成して該凹陥部７に外気導入孔８を穿設し、上記キャップ内周壁13外周下部を凹陥部７内周に内壁材３を介して密嵌させるとともに、内周壁13外周上端部を口頚部６内周上端部に内壁材３を介して密嵌させ、且つ、各密嵌部分間の内周壁13外方に間隙ｂを設けてキャップＢを装着してなる請求項１記載の錠剤容器。
【発明の詳細な説明】
【０００１】
【発明の属する技術分野】
本発明は錠剤容器に関する。
【０００２】
【従来の技術】
錠剤容器として、錠剤を収納した容器体の内部上部にスポンジ，可撓性合成樹脂フィルムをまるめたもの等をクッション材として収納し、中栓をした後、キャップを着脱自在に装着したものが知られている。
【０００３】
【発明が解決しようとする課題】
従来容器では使用に当たり、キャップを外した後中栓を外し、しかる後いちいちクッション材を外して錠剤を取り出し、また、使用後は再びクッション材を挿入した後中栓を嵌め、キャップを螺着させている。従って、取り扱いが面倒である。
本発明はこの様な点を考慮してなされたもので、収納錠剤の破損を防止できることは勿論、クッション材の存在が無いためいちいちそれを取り外す必要がなく取り扱いが便利である優れた錠剤容器を提案するものである。
【０００４】
【課題を解決するための手段】
本請求項１発明の錠剤容器は上記課題を解決するため、筒状胴部４より口頚部６を起立するとともに、口頚部６下部に外気導入孔８を穿設し、且つ、保形性を備えた合成樹脂製の外壁材２と、外壁材２内面に剥離可能に積層するとともに、外気導入孔８部分を含めてその下方の積層部分を剥離して外壁材２内面との間に隙間ａが生じる如く設け、且つ、内部に錠剤10を充填した可撓性合成樹脂製の内壁材３とからなる容器体Ａを備え、口頚部６外周に嵌合させた周壁11上端縁より口頚部６上面に下面を当接するフランジ12を延設するとともに、フランジ12内周縁より垂設した内周壁13により内壁材３を圧接して外気導入孔８を気密に閉塞し、且つ、内周壁13内周面より口頚部６開口を閉塞する頂壁14を延設したキャップＢを着脱自在に装着してなることを特徴とする錠剤容器として構成した。
また、請求項２発明の錠剤容器は、上記口頚部６下部を内方へ凹ませた環状の凹陥部７を形成して該凹陥部７に外気導入孔８を穿設し、上記キャップ内周壁13外周下部を凹陥部７内周に内壁材３を介して密嵌させるとともに、内周壁13外周上端部を口頚部６内周上端部に内壁材３を介して密嵌させ、且つ、各密嵌部分間の内周壁13外方に間隙ｂを設けてキャップＢを装着してなる請求項１記載の錠剤容器として構成した。
【０００５】
【発明の実施の形態】
以下、本発明の実施例の形態を図面を参照して説明する。
【０００６】
本発明の錠剤容器１は、容器体Ａと、キャップＢとから構成しており、容器体Ａは、更に、外壁材２と、内壁材３とから構成している。
外壁材２は、保形性を備えた合成樹脂製のものであり、筒状の胴部４上端縁より肩部５介して口頚部６を起立している。また、口頚部下部にはその壁部を内方へ環状に凹ませた凹陥部７を形成しており、この凹陥部７に外気導入孔８を穿設している。また、口頚部６外周にはキャップＢを螺着させるための螺条９を突周設している。
【０００７】
内壁材３は可撓性合成樹脂製のものであり、外壁材２内面に剥離可能に積層するとともに、外気導入孔８を含んでその下方の積層部分を剥離して外壁材２内面との間に隙間ａが生じる如く設け、また、内部に錠剤10を充填している。
【０００８】
上記容器体Ａを形成する場合には、内壁材３及び外壁材２形成するための合成樹脂を比較的容易に剥離する異材質の合成樹脂を選択し、例えば、それらの樹脂で構成された積層シートを用いてブロー成形等により形成することができる。また外気導入孔８は、積層前のシートに予め形成しておいたり、容器体形成後後加工により施すことが出来る。更に、内壁材３の剥離は、外気導入孔８上方の内壁材３を外壁材２に圧接した状態で、外気導入孔８よりエアーを吹き込むことによりその下方の内壁材３を剥離することができ、また、同様の状態から内壁材３を内側から吸引することにより剥離することが出来る。
【０００９】
キャップＢは合成樹脂製で、口頚部６外周に嵌合させた周壁11上端縁より口頚部６上面に下面を当接するフランジ12を延設するとともに、フランジ12内周縁より垂設した内周壁13により内壁材３を圧接して外気導入孔８を気密に閉塞し、また、内周壁13下端縁より口頚部６開口を閉塞する頂壁14を延設している。
【００１０】
図示例では、周壁11内周に上記螺条９と螺合する螺条15を突周設し、また、内周壁13下部は段部16を介して縮径し、内周壁13上端部を内壁材３を介して口頚部６内周上端部に密嵌させるとともに、内周壁13下部を内壁材３を介して凹陥部７内面に密嵌させており、各密嵌部分間の内周壁13と口頚部とに間隙ｂを設けてキャップを装着し、キャップＢの気密で且つ円滑な着脱が行える如く構成している。また、フランジ12上に周縁部を固着させてラベル17を設けている。
【００１１】
上記の如き錠剤容器１は、図２に示す如き空の容器体Ａ上方より錠剤10を充填した後、キャップＢを螺着し、その内周壁13により外気導入孔８を閉塞して図１の状態の如き容器１を得る。使用の際には、その状態からキャップＢを外して所定量の錠剤10を取り出し、次いで再びキャップＢを螺着させる。
【００１２】
図３は本発明の他の実施例を示すもので、本実施例では、上記図１の実施例に於いて、キャップＢに代えて、口頚部６外周に嵌合させた周壁11上端縁より口頚部６上面に下面周縁部を当接して口頚部６開口を閉塞するフランジ12を延設するとともに、フランジ12内周縁部より垂設した内周壁13により内壁材３を圧接して外気導入孔８を気密に閉塞し、また、フランジ12内周面上端部より内方へ頂壁14を延設するとともに、頂壁14裏面より錠剤10上面に当接する多数の棒状突起18を垂設してなるキャップＢを着脱に装着している。この場合も内周壁13上端部を肉厚に形成してその下方に間隙ｂが形成される如く構成している。
【００１３】
【発明の効果】
以上説明した如く本発明の錠剤容器は、容器体Ａを保形性の有る合成樹脂製の外壁材２と、外壁材２内面に剥離可能に積層した可撓性合成樹脂製の内壁材３とで構成し、外壁材２の口頚部６下部に外気導入孔８を穿設するとともに、外気導入孔８部分を含めてその下方の内壁材３の積層部分を剥離して外壁材２内面との間に隙間ａが生じる如く構成し、また、装着したキャップＢの内周壁13により内壁材３を圧接して外気導入孔８を気密に閉塞する如く構成しているため、隙間ａに存在する空気は逃げ場が無く密閉され、その結果、内壁材３内に収納された錠剤10外周をエアーにより押さえられて相互の移動或いは衝突を極力防止し、しかも、錠剤10の取り出しの際にはキャップＢ外すだけで行えるため、取り扱いも便利である。
また、口頚部６下部を内方へ凹ませた環状の凹陥部７を形成して該凹陥部７に外気導入孔８を穿設し、キャップ内周壁13外周下部を凹陥部７内周に内壁材３を介して密嵌させるとともに、内周壁13外周上端部を口頚部６内周上端部に内壁材３を介して密嵌させ、更に、各密嵌部分間の内周壁13外方に間隙ｂを設けてキャップを装着してなるものにあっては、キャップ装着時には容器体内の充分な気密性を得られるとともに、キャップの着脱を容易に行えるという利点を兼ね備えている。
【図面の簡単な説明】
【図１】本発明の一実施例を示す縦断面図である。
【図２】同実施例の容器体を示す縦断面図である。
【図３】本発明の他の実施例を示す要部半断面図である。
【符号の説明】
２…外壁材，３…内壁材，４…胴部，５…肩部，６…口頚部，７…凹陥部，
８…外気導入孔，10…錠剤，11…周壁，12…フランジ，13…内周壁，
14…頂壁，Ａ…容器体，Ｂ…キャップ, ａ…隙間，ｂ…間隙
【図１】
0003941996.tif 000002
【図２】
0003941996.tif 000003
【図３】
0003941996.tif 000004